(57)【要約】【課題】本発明は大型犬用のチェーンロックを開示した。【解決手段】主体を含み、前記主体の右側にはハンドルが回転できるように設置され、前記ハンドルの右端には反転できる取っ手が上下対称的に設置され、前記主体の中には巻き装置が設置され、前記主体と前記ハンドルとの間には引き動かしアンロック装置が設置され、前記ハンドルの中には回転アンロック装置が設置され、本装置により牽引縄の長さを調節でき、犬の活動範囲を制御し、同時に、犬を係留する時、快速に本装置を柱などのところにつなぐことができ、且つ犬に振り切られにくい。【選択図】図１
2020182429.tif 000002
【特許請求の範囲】
【請求項１】
正面視で、主体を含み、前記主体の右側にはハンドルが回転できるように設置され、前記ハンドルの右端には反転できる取っ手が上下対称的に設置され、前記主体の中には巻き装置が設置され、前記主体と前記ハンドルとの間には引き動かしアンロック装置が設置され、前記ハンドルの中には回転アンロック装置が設置され、犬の散歩をする過程において、前記取っ手を手で掴むことができ、前記引き動かしアンロック装置を通して前記巻き装置をアンロックでき、また前記巻き装置の中のチェーンの長さを調節でき、犬の牽引縄を柱に係留する時、前記ハンドルを回転させると、前記回転アンロック装置を始動でき、また前記取っ手をアンロックでき、前記取っ手を両側に向かって反転させ、そして柱にロックし、前記巻き装置は前記主体の中に設置されている巻きチャンバを含み、前記巻きチャンバの中には巻き輪が上下対称的に、且つ回転できるように設置され、前記チェーンが前記巻き輪に巻きついており、前記巻きチャンバの左壁には外部空間に連通している開口が連通するように設置され、前記チェーンの一端が前記開口を通して外部空間まで伸びており、且つ前記チェーンの一端には首輪が固定的に連結され、前記巻き輪の前後両側において前記巻きチャンバの前後壁に位置しているところにはローラチャンバが対称的に設置され、前記巻き輪の両端が前記ローラチャンバの中に伸びており、且つ前記巻き輪の両端には回転盤が固定的に連結され、前記回転盤のうち中心に近接している端と前記ローラチャンバの内壁との間には捻りばねが固定的に連結され、前記回転盤の外円周面の中には外側へ開口した第一引っ掛かり溝が環状に排列されるように設置されていることを特徴とする大型犬用のチェーンロック。
【請求項２】
前記引き動かしアンロック装置は前記ローラチャンバの間に設置されているヒンジチャンバを含み、前記ヒンジチャンバの右側には引きロッドチャンバが連通するように設置され、前記引きロッドチャンバの中には引きロッドがスライドできるように設置され、前記引きロッドの左端にはヒンジロッドが上下対称的に、且つヒンジにより連結され、前記ヒンジロッドのうち前記引きロッドから離れている一端には前記第一引っ掛かり溝の中まで伸びることができる引っ掛かりブロックがヒンジにより連結され、前記引きロッドチャンバの右側には伸縮チャンバが連通するように設置され、前記伸縮チャンバの中には前記引きロッドの右端に固定的に連結されている伸縮板がスライドできるように設置され、前記伸縮板の右端と前記伸縮チャンバの右壁との間には圧縮ばねが固定的に連結され、前記伸縮板の右端面の中心には固定軸が固定的に設置され、前記ハンドルの中には引き動かしチャンバが前後に貫通するように設置され、前記引き動かしチャンバの中には引き動かし板がスライドできるように設置され、前記引き動かし板の中には回転ブロックチャンバが設置され、前記回転ブロックチャンバの中には前記固定軸の右端に固定的に連結されている回転ブロックが回転できるように設置されていることを特徴とする請求項１に記載の大型犬用のチェーンロック。
【請求項３】
前記回転アンロック装置は前記引き動かしチャンバの左側に設置されている糸巻きチャンバを含み、前記糸巻きチャンバの中には巻き軸が回転できるように設置され、前記固定軸が前記巻き軸を通しており、且つ前記巻き軸とスプラインにより連結され、前記巻き軸には二本の引き糸が巻きつくように設置され、前記ハンドルを回転させ、前記巻き軸が前記ハンドルに対して反転し、且つ前記引き糸を引き締め、前記糸巻きチャンバの上下両壁には糸通し孔が対称的に、且つ連通するように設置され、前記ハンドルの右端面には開口が逆である反転チャンバが上下対称的に設置され、前記取っ手の左端が前記反転チャンバの前後壁に回転できるように連結され、前記取っ手の左端には第二引っ掛かり溝が設置され、前記反転チャンバの左壁には前記糸通し孔の右側に連通している引っ掛かりロッドチャンバが連通するように設置され、前記引っ掛かりロッドチャンバの中には引っ掛かりロッドがスライドできるように設置され、前記引っ掛かりロッドが前記第二引っ掛かり溝の中に伸びて前記取っ手を固定でき、前記引っ掛かりロッドの左端と前記引っ掛かりロッドチャンバの左壁との間には押圧ばねが固定的に連結され、前記引き糸が前記引っ掛かりロッドの左端に固定的に連結されていることを特徴とする請求項１に記載の大型犬用のチェーンロック。
【発明の詳細な説明】
【技術分野】
【０００１】
本発明は錠前技術分野を取り上げて、具体的には大型犬用のチェーンロックである。
【背景技術】
【０００２】
多くの犬好きな人は犬の散歩をすることが好きであるが、安全のために犬の体に牽引縄を付け、しかし、普通の牽引縄は長さを調整できなく、牽引縄を手に巻きつけることしかできなく、これは非常に危険であり、また時々犬を係留する時、普通の牽引縄であると縄を結ぶ方式だけを採用でき、しかもこの方式は面倒くさいだけでなく、犬に振り切られやすく、あまり強固でなく、そのため、大型犬用のチェーンロックが必要となり、本装置を通して縄を巻いてロックでき、また柱に巻きつけてロックする方式により本装置を柱に固定でき、信頼性が高い。
【先行技術文献】
【特許文献】
【０００３】
【特許文献１】中国特許出願公開第102367719号明細書
【発明の概要】
【発明が解決しようとする課題】
【０００４】
本発明は大型犬用のチェーンロックを提供し、従来技術における上記欠点を解消することを目的とする。
【課題を解決するための手段】
【０００５】
本発明の実施例の大型犬用のチェーンロックは、主体を含み、前記主体の右側にはハンドルが回転できるように設置され、前記ハンドルの右端には反転できる取っ手が上下対称的に設置され、前記主体の中には巻き装置が設置され、前記主体と前記ハンドルとの間には引き動かしアンロック装置が設置され、前記ハンドルの中には回転アンロック装置が設置され、犬の散歩をする過程において、前記取っ手を手で掴むことができ、前記引き動かしアンロック装置を通して前記巻き装置をアンロックでき、また前記巻き装置の中のチェーンの長さを調節でき、犬の牽引縄を柱に係留する時、前記ハンドルを回転させると、前記回転アンロック装置を始動でき、また前記取っ手をアンロックでき、前記取っ手を両側に向かって反転させ、そして柱にロックし、前記巻き装置は前記主体の中に設置されている巻きチャンバを含み、前記巻きチャンバの中には巻き輪が上下対称的に、且つ回転できるように設置され、前記チェーンが前記巻き輪に巻きついており、前記巻きチャンバの左壁には外部空間に連通している開口が連通するように設置され、前記チェーンの一端が前記開口を通して外部空間まで伸びており、且つ前記チェーンの一端には首輪が固定的に連結され、前記巻き輪の前後両側において前記巻きチャンバの前後壁に位置しているところにはローラチャンバが対称的に設置され、前記巻き輪の両端が前記ローラチャンバの中に伸びており、且つ前記巻き輪の両端には回転盤が固定的に連結され、前記回転盤のうち中心に近接している端と前記ローラチャンバの内壁との間には捻りばねが固定的に連結され、前記回転盤の外円周面の中には外側へ開口した第一引っ掛かり溝が環状に排列されるように設置され、前記引き動かしアンロック装置により前記回転盤を固定し、前記捻りばねにより前記回転盤を回転させて復帰させる。
【０００６】
更の技術プランとしては、前記引き動かしアンロック装置は前記ローラチャンバの間に設置されているヒンジチャンバを含み、前記ヒンジチャンバの右側には引きロッドチャンバが連通するように設置され、前記引きロッドチャンバの中には引きロッドがスライドできるように設置され、前記引きロッドの左端にはヒンジロッドが上下対称的に、且つヒンジにより連結され、前記ヒンジロッドのうち前記引きロッドから離れている一端には前記第一引っ掛かり溝の中まで伸びることができる引っ掛かりブロックがヒンジにより連結され、前記引きロッドチャンバの右側には伸縮チャンバが連通するように設置され、前記伸縮チャンバの中には前記引きロッドの右端に固定的に連結されている伸縮板がスライドできるように設置され、前記伸縮板の右端と前記伸縮チャンバの右壁との間には圧縮ばねが固定的に連結され、前記伸縮板の右端面の中心には固定軸が固定的に設置され、前記ハンドルの中には引き動かしチャンバが前後に貫通するように設置され、前記引き動かしチャンバの中には引き動かし板がスライドできるように設置され、前記引き動かし板の中には回転ブロックチャンバが設置され、前記回転ブロックチャンバの中には前記固定軸の右端に固定的に連結されている回転ブロックが回転できるように設置され、前記引き動かし板を引き動かすと、前記固定軸により前記伸縮板を引き動かすことができ、前記回転盤をアンロックする。
【０００７】
更の技術プランとしては、前記回転アンロック装置は前記引き動かしチャンバの左側に設置されている糸巻きチャンバを含み、前記糸巻きチャンバの中には巻き軸が回転できるように設置され、前記固定軸が前記巻き軸を通しており、且つ前記巻き軸とスプラインにより連結され、前記巻き軸には二本の引き糸が巻きつくように設置され、前記ハンドルを回転させ、前記巻き軸が前記ハンドルに対して反転し、且つ前記引き糸を引き締め、前記糸巻きチャンバの上下両壁には糸通し孔が対称的に、且つ連通するように設置され、前記ハンドルの右端面には開口が逆である反転チャンバが上下対称的に設置され、前記取っ手の左端が前記反転チャンバの前後壁に回転できるように連結され、前記取っ手の左端には第二引っ掛かり溝が設置され、前記反転チャンバの左壁には前記糸通し孔の右側に連通している引っ掛かりロッドチャンバが連通するように設置され、前記引っ掛かりロッドチャンバの中には引っ掛かりロッドがスライドできるように設置され、前記引っ掛かりロッドが前記第二引っ掛かり溝の中に伸びて前記取っ手を固定でき、前記引っ掛かりロッドの左端と前記引っ掛かりロッドチャンバの左壁との間には押圧ばねが固定的に連結され、前記引き糸が前記引っ掛かりロッドの左端に固定的に連結され、前記引き糸が前記引っ掛かりロッドを引き動かして左方へ移動させて第二引っ掛かり溝から出し、また前記取っ手をアンロックする。
【発明の効果】
【０００８】
本発明の有益効果は：本発明は構成が簡単で、操作が便利で、本装置により牽引縄の長さを調節でき、犬の活動範囲を制御し、同時に、犬を係留する時、快速に本装置を柱などのところにつなぐことができ、且つ犬に振り切られにくい。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の大型犬用のチェーンロックの内部全体構成模式図
【図２】図２は図１の中の「Ａ―Ａ」方向の構成模式図
【図３】図３は図２の中の「Ｂ―Ｂ」方向の構成模式図
【図４】図４は図１の中の「Ｃ」の拡大模式図
【図５】図５は図１の中の「Ｄ」の拡大模式図
【発明を実施するための形態】
【００１１】
図１〜５を参照し、本発明の実施例の大型犬用のチェーンロックは、主体１１を含み、前記主体１１の右側にはハンドル１２が回転できるように設置され、前記ハンドル１２の右端には反転できる取っ手１３が上下対称的に設置され、前記主体１１の中には巻き装置１０１が設置され、前記主体１１と前記ハンドル１２との間には引き動かしアンロック装置１０２が設置され、前記ハンドル１２の中には回転アンロック装置１０３が設置され、犬の散歩をする過程において、前記取っ手１３を手で掴むことができ、前記引き動かしアンロック装置１０２を通して前記巻き装置１０１をアンロックでき、また前記巻き装置１０１の中のチェーン１６の長さを調節でき、犬の牽引縄を柱に係留する時、前記ハンドル１２を回転させると、前記回転アンロック装置１０３を始動でき、また前記取っ手１３をアンロックでき、前記取っ手１３を両側に向かって反転させ、そして柱にロックし、前記巻き装置１０１は前記主体１１の中に設置されている巻きチャンバ１４を含み、前記巻きチャンバ１４の中には巻き輪１５が上下対称的に、且つ回転できるように設置され、前記チェーン１６が前記巻き輪１５に巻きついており、前記巻きチャンバ１４の左壁には外部空間に連通している開口１７が連通するように設置され、前記チェーン１６の一端が前記開口１７を通して外部空間まで伸びており、且つ前記チェーン１６の一端には首輪１８が固定的に連結され、前記巻き輪１５の前後両側において前記巻きチャンバ１４の前後壁に位置しているところにはローラチャンバ１９が対称的に設置され、前記巻き輪１５の両端が前記ローラチャンバ１９の中に伸びており、且つ前記巻き輪１５の両端には回転盤２０が固定的に連結され、前記回転盤２０のうち中心に近接している端と前記ローラチャンバ１９の内壁との間には捻りばね２１が固定的に連結され、前記回転盤２０の外円周面の中には外側へ開口した第一引っ掛かり溝２２が環状に排列されるように設置され、前記引き動かしアンロック装置１０２により前記回転盤２０を固定し、前記捻りばね２１により前記回転盤２０を回転させて復帰させる。
【００１２】
有益的には、前記引き動かしアンロック装置１０２は前記ローラチャンバ１９の間に設置されているヒンジチャンバ２３を含み、前記ヒンジチャンバ２３の右側には引きロッドチャンバ２７が連通するように設置され、前記引きロッドチャンバ２７の中には引きロッド２４がスライドできるように設置され、前記引きロッド２４の左端にはヒンジロッド２５が上下対称的に、且つヒンジにより連結され、前記ヒンジロッド２５のうち前記引きロッド２４から離れている一端には前記第一引っ掛かり溝２２の中まで伸びることができる引っ掛かりブロック２６がヒンジにより連結され、前記引きロッドチャンバ２７の右側には伸縮チャンバ２８が連通するように設置され、前記伸縮チャンバ２８の中には前記引きロッド２４の右端に固定的に連結されている伸縮板２９がスライドできるように設置され、前記伸縮板２９の右端と前記伸縮チャンバ２８の右壁との間には圧縮ばね３０が固定的に連結され、前記伸縮板２９の右端面の中心には固定軸３１が固定的に設置され、前記ハンドル１２の中には引き動かしチャンバ３２が前後に貫通するように設置され、前記引き動かしチャンバ３２の中には引き動かし板３３がスライドできるように設置され、前記引き動かし板３３の中には回転ブロックチャンバ３４が設置され、前記回転ブロックチャンバ３４の中には前記固定軸３１の右端に固定的に連結されている回転ブロック３５が回転できるように設置され、前記引き動かし板３３を引き動かすと、前記固定軸３１により前記伸縮板２９を引き動かすことができ、前記回転盤２０をアンロックする。
【００１３】
有益的には、前記回転アンロック装置１０３は前記引き動かしチャンバ３２の左側に設置されている糸巻きチャンバ３６を含み、前記糸巻きチャンバ３６の中には巻き軸３７が回転できるように設置され、前記固定軸３１が前記巻き軸３７を通しており、且つ前記巻き軸３７とスプラインにより連結され、前記巻き軸３７には二本の引き糸３８が巻きつくように設置され、前記ハンドル１２を回転させ、前記巻き軸３７が前記ハンドル１２に対して反転し、且つ前記引き糸３８を引き締め、前記糸巻きチャンバ３６の上下両壁には糸通し孔３９が対称的に、且つ連通するように設置され、前記ハンドル１２の右端面には開口が逆である反転チャンバ４０が上下対称的に設置され、前記取っ手１３の左端が前記反転チャンバ４０の前後壁に回転できるように連結され、前記取っ手１３の左端には第二引っ掛かり溝４１が設置され、前記反転チャンバ４０の左壁には前記糸通し孔３９の右側に連通している引っ掛かりロッドチャンバ４２が連通するように設置され、前記引っ掛かりロッドチャンバ４２の中には引っ掛かりロッド４３がスライドできるように設置され、前記引っ掛かりロッド４３が前記第二引っ掛かり溝４１の中に伸びて前記取っ手１３を固定でき、前記引っ掛かりロッド４３の左端と前記引っ掛かりロッドチャンバ４２の左壁との間には押圧ばね４４が固定的に連結され、前記引き糸３８が前記引っ掛かりロッド４３の左端に固定的に連結され、前記引き糸３８が前記引っ掛かりロッド４３を引き動かして左方へ移動させて第二引っ掛かり溝４１から出し、また前記取っ手１３をアンロックする。
【００１４】
初期状態において、主体１１がハンドル１２と同じ水平面に位置しており、引っ掛かりブロック２６が第一引っ掛かり溝２２の中に引っ掛かり、引っ掛かりロッド４３が第二引っ掛かり溝４１の中に引っ掛かっている。
【００１５】
チェーン１６の長さを調節する時、引き動かし板３３を右側へ引き、回転ブロック３５と固定軸３１により伸縮板２９と引きロッド２４とを連動させて右側へ移動させ、ヒンジロッド２５により上下両側の引っ掛かりブロック２６を連動させて向き合って移動させ、これにより上下両側の引っ掛かりブロック２６が第一引っ掛かり溝２２から滑り出て、この時、手でチェーン１６を所要の長さまで引き、引き動かし板３３を放し、引っ掛かりブロック２６が再び対応した第一引っ掛かり溝２２の中に引っ掛かり、犬の牽引縄を柱またはテーブルの脚などのところに係留する時、ハンドル１２を回転させ、この時、引き糸３８が引き締まった状態にあり、また引っ掛かりロッド４３を引き動かして左側へ移動させて第二引っ掛かり溝４１から出し、この時、ハンドル１３を両側へ反転させることができ、そして本発明装置を柱またはテーブルの脚に巻きつけ、またハンドル１３を復帰させる。
【００１６】
本発明の有益効果は：本発明は構成が簡単で、操作が便利で、本装置により牽引縄の長さを調節でき、犬の活動範囲を制御し、同時に、犬を係留する時、快速に本装置を柱などのところにつなぐことができ、且つ犬に振り切られにくい。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182429.tif 000003
【図２】
2020182429.tif 000004
【図３】
2020182429.tif 000005
【図４】
2020182429.tif 000006
【図５】
2020182429.tif 000007
【手続補正書】
【提出日】令和1年7月14日(2019.7.14)
【手続補正１】
【補正対象書類名】特許請求の範囲
【補正対象項目名】全文
【補正方法】変更
【補正の内容】
【特許請求の範囲】
【請求項１】
図１に示した方向により、大型犬用のチェーンロックであって、主体を含み、前記主体の右側にはハンドルが回転できるように設置され、前記ハンドルの右端には取っ手が上下対称的に設置され、前記主体の中には巻き装置が設置され、前記主体と前記ハンドルとの間には引き動かしアンロック装置が設置され、前記ハンドルの中には回転アンロック装置が設置され、犬の散歩をする過程において、前記取っ手を手で掴むことができ、前記引き動かしアンロック装置を通して前記巻き装置をアンロックでき、また前記巻き装置によってチェーンの長さを調節でき、前記巻き装置は前記主体の中に設置されている巻きチャンバを含み、前記巻きチャンバの中には巻き輪が上下対称的に、且つ回転できるように設置され、前記チェーンが前記巻き輪に巻きついており、前記巻きチャンバの左壁には外部空間に連通している開口が設置され、前記チェーンの一端が前記開口を通して外部空間まで伸びており、且つ前記チェーンの一端には首輪が固定的に連結され、前記巻き輪の前後両側において前記巻きチャンバの前後壁に位置しているところにはローラチャンバが対称的に設置され、前記巻き輪の両端が前記ローラチャンバの中に伸びており、且つ前記巻き輪の両端には回転盤が固定的に連結され、前記回転盤のうち前記巻きチャンバに近接している側の円形面と前記ローラチャンバの内壁との間には捻りばねが固定的に連結され、前記回転盤の外円周面の中には外側へ開口した第一引っ掛かり溝が環状に配列されるように設置されていることを特徴とする大型犬用のチェーンロック。
【請求項２】
前記引き動かしアンロック装置は前記ローラチャンバの間に設置されているヒンジチャンバを含み、前記ヒンジチャンバの右側には引きロッドチャンバが連通するように設置され、前記引きロッドチャンバの中には引きロッドがスライドできるように設置され、前記引きロッドの左端にはヒンジロッドが上下対称的に、且つヒンジにより連結され、前記ヒンジロッドのうち前記引きロッドから離れている一端には前記第一引っ掛かり溝の中までスライドすることができる引っ掛かりブロックがヒンジにより連結され、前記引きロッドチャンバの右側には伸縮チャンバが連通するように設置され、前記伸縮チャンバの中には前記引きロッドの右端に固定的に連結されている伸縮板がスライドできるように設置され、前記伸縮板の右端と前記伸縮チャンバの右壁との間には圧縮ばねが固定的に連結され、前記伸縮板の右端面の中心には固定軸が固定的に設置され、前記ハンドルの中には引き動かしチャンバが前後に貫通するように設置され、前記引き動かしチャンバの中には引き動かし板がスライドできるように設置され、前記引き動かし板の中には回転ブロックチャンバが設置され、前記回転ブロックチャンバの中には前記固定軸の右端に固定的に連結されている回転ブロックが回転できるように設置されていることを特徴とする請求項１に記載の大型犬用のチェーンロック。
【請求項３】
前記回転アンロック装置は前記引き動かしチャンバの左側に設置されている糸巻きチャンバを含み、前記糸巻きチャンバの中には巻き軸が回転できるように設置され、前記固定軸が前記巻き軸を貫通しており、且つ前記巻き軸とスプラインにより連結され、前記巻き軸には二本の引き糸が巻きつくように設置され、前記糸巻きチャンバの上下両壁には糸通し孔が対称的に、且つ連通するように設置され、前記ハンドルの右端面には開口が逆である反転チャンバが上下対称的に設置され、前記取っ手の左端が前記反転チャンバの前後壁に回転できるように連結され、前記取っ手の左端には第二引っ掛かり溝が設置され、前記反転チャンバの左壁には前記糸通し孔の右側に連通している引っ掛かりロッドチャンバが連通するように設置され、前記引っ掛かりロッドチャンバの中には引っ掛かりロッドがスライドできるように設置され、前記引っ掛かりロッドが前記第二引っ掛かり溝の中に滑り込んで前記取っ手を固定でき、前記引っ掛かりロッドの左端と前記引っ掛かりロッドチャンバの左壁との間には押圧ばねが固定的に連結され、前記引き糸が前記引っ掛かりロッドの左端に固定的に連結されていることを特徴とする請求項２に記載の大型犬用のチェーンロック。
【手続補正２】
【補正対象書類名】明細書
【補正対象項目名】全文
【補正方法】変更
【補正の内容】
【発明の詳細な説明】
【技術分野】
【０００１】
本発明は錠前技術分野を取り上げて、具体的には大型犬用のチェーンロックである。
【背景技術】
【０００２】
多くの犬好きな人は犬の散歩をすることが好きであるが、安全のために犬の体に牽引縄を付け、しかし、普通の牽引縄は長さを調整できなく、牽引縄を手に巻きつけることしかできなく、これは非常に危険であり、また時々犬を係留する時、普通の牽引縄であると縄を結ぶ方式だけを採用でき、しかもこの方式は面倒くさいだけでなく、犬に振り切られやすく、あまり強固でなく、そのため、大型犬用のチェーンロックが必要となり、本装置を通して縄を巻いてロックでき、また柱に巻きつけてロックする方式により本装置を柱に固定でき、信頼性が高い。
【先行技術文献】
【特許文献】
【０００３】
【特許文献１】中国特許出願公開第102367719号明細書
【発明の概要】
【発明が解決しようとする課題】
【０００４】
本発明は大型犬用のチェーンロックを提供し、従来技術における上記欠点を解消することを目的とする。
【課題を解決するための手段】
【０００５】
本発明の実施例の大型犬用のチェーンロックは、主体を含み、前記主体の右側にはハンドルが回転できるように設置され、前記ハンドルの右端には取っ手が上下対称的に設置され、前記主体の中には巻き装置が設置され、前記主体と前記ハンドルとの間には引き動かしアンロック装置が設置され、前記ハンドルの中には回転アンロック装置が設置され、犬の散歩をする過程において、前記取っ手を手で掴むことができ、前記引き動かしアンロック装置を通して前記巻き装置をアンロックでき、また前記巻き装置によってチェーンの長さを調節でき、前記巻き装置は前記主体の中に設置されている巻きチャンバを含み、前記巻きチャンバの中には巻き輪が上下対称的に、且つ回転できるように設置され、前記チェーンが前記巻き輪に巻きついており、前記巻きチャンバの左壁には外部空間に連通している開口が設置され、前記チェーンの一端が前記開口を通して外部空間まで伸びており、且つ前記チェーンの一端には首輪が固定的に連結され、前記巻き輪の前後両側において前記巻きチャンバの前後壁に位置しているところにはローラチャンバが対称的に設置され、前記巻き輪の両端が前記ローラチャンバの中に伸びており、且つ前記巻き輪の両端には回転盤が固定的に連結され、前記回転盤のうち前記巻きチャンバに近接している側の円形面と前記ローラチャンバの内壁との間には捻りばねが固定的に連結され、前記回転盤の外円周面の中には外側へ開口した第一引っ掛かり溝が環状に配列されるように設置され、前記引き動かしアンロック装置により前記回転盤を固定し、前記捻りばねにより前記回転盤を回転させて復帰させる。
【０００６】
更の技術プランとしては、前記引き動かしアンロック装置は前記ローラチャンバの間に設置されているヒンジチャンバを含み、前記ヒンジチャンバの右側には引きロッドチャンバが連通するように設置され、前記引きロッドチャンバの中には引きロッドがスライドできるように設置され、前記引きロッドの左端にはヒンジロッドが上下対称的に、且つヒンジにより連結され、前記ヒンジロッドのうち前記引きロッドから離れている一端には前記第一引っ掛かり溝の中までスライドすることができる引っ掛かりブロックがヒンジにより連結され、前記引きロッドチャンバの右側には伸縮チャンバが連通するように設置され、前記伸縮チャンバの中には前記引きロッドの右端に固定的に連結されている伸縮板がスライドできるように設置され、前記伸縮板の右端と前記伸縮チャンバの右壁との間には圧縮ばねが固定的に連結され、前記伸縮板の右端面の中心には固定軸が固定的に設置され、前記ハンドルの中には引き動かしチャンバが前後に貫通するように設置され、前記引き動かしチャンバの中には引き動かし板がスライドできるように設置され、前記引き動かし板の中には回転ブロックチャンバが設置され、前記回転ブロックチャンバの中には前記固定軸の右端に固定的に連結されている回転ブロックが回転できるように設置され、前記引き動かし板を引き動かすと、前記固定軸により前記伸縮板を引き動かすことができ、前記回転盤をアンロックする。
【０００７】
更の技術プランとしては、前記回転アンロック装置は前記引き動かしチャンバの左側に設置されている糸巻きチャンバを含み、前記糸巻きチャンバの中には巻き軸が回転できるように設置され、前記固定軸が前記巻き軸を貫通しており、且つ前記巻き軸とスプラインにより連結され、前記巻き軸には二本の引き糸が巻きつくように設置され、前記糸巻きチャンバの上下両壁には糸通し孔が対称的に、且つ連通するように設置され、前記ハンドルの右端面には開口が逆である反転チャンバが上下対称的に設置され、前記取っ手の左端が前記反転チャンバの前後壁に回転できるように連結され、前記取っ手の左端には第二引っ掛かり溝が設置され、前記反転チャンバの左壁には前記糸通し孔の右側に連通している引っ掛かりロッドチャンバが連通するように設置され、前記引っ掛かりロッドチャンバの中には引っ掛かりロッドがスライドできるように設置され、前記引っ掛かりロッドが前記第二引っ掛かり溝の中に滑り込んで前記取っ手を固定でき、前記引っ掛かりロッドの左端と前記引っ掛かりロッドチャンバの左壁との間には押圧ばねが固定的に連結され、前記引き糸が前記引っ掛かりロッドの左端に固定的に連結され、前記引き糸が前記引っ掛かりロッドを引き動かして左方へ移動させて第二引っ掛かり溝から出し、また前記取っ手をアンロックする。
【発明の効果】
【０００８】
本発明の有益効果は：本発明は構成が簡単で、操作が便利で、本装置により牽引縄の長さを調節でき、犬の活動範囲を制御し、同時に、犬を係留する時、快速に本装置を柱などのところにつなぐことができ、且つ犬に振り切られにくい。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の大型犬用のチェーンロックの内部全体構成模式図
【図２】図２は図１の中の「Ａ―Ａ」方向の構成模式図
【図３】図３は図２の中の「Ｂ―Ｂ」方向の構成模式図
【図４】図４は図１の中の「Ｃ」の拡大模式図
【図５】図５は図１の中の「Ｄ」の拡大模式図
【発明を実施するための形態】
【００１１】
図１〜５を参照し、本発明の実施例の大型犬用のチェーンロックは、主体１１を含み、前記主体１１の右側にはハンドル１２が回転できるように設置され、前記ハンドル１２の右端には取っ手１３が上下対称的に設置され、前記主体１１の中には巻き装置１０１が設置され、前記主体１１と前記ハンドル１２との間には引き動かしアンロック装置１０２が設置され、前記ハンドル１２の中には回転アンロック装置１０３が設置され、犬の散歩をする過程において、前記取っ手１３を手で掴むことができ、前記引き動かしアンロック装置１０２を通して前記巻き装置１０１をアンロックでき、また前記巻き装置１０１によってチェーン１６の長さを調節でき、前記巻き装置１０１は前記主体１１の中に設置されている巻きチャンバ１４を含み、前記巻きチャンバ１４の中には巻き輪１５が上下対称的に、且つ回転できるように設置され、前記チェーン１６が前記巻き輪１５に巻きついており、前記巻きチャンバ１４の左壁には外部空間に連通している開口１７が設置され、前記チェーン１６の一端が前記開口１７を通して外部空間まで伸びており、且つ前記チェーン１６の一端には首輪１８が固定的に連結され、前記巻き輪１５の前後両側において前記巻きチャンバ１４の前後壁に位置しているところにはローラチャンバ１９が対称的に設置され、前記巻き輪１５の両端が前記ローラチャンバ１９の中に伸びており、且つ前記巻き輪１５の両端には回転盤２０が固定的に連結され、前記回転盤２０のうち前記巻きチャンバ１４に近接している側の円形面と前記ローラチャンバ１９の内壁との間には捻りばね２１が固定的に連結され、前記回転盤２０の外円周面の中には外側へ開口した第一引っ掛かり溝２２が環状に配列されるように設置され、前記引き動かしアンロック装置１０２により前記回転盤２０を固定し、前記捻りばね２１により前記回転盤２０を回転させて復帰させる。
【００１２】
有益的には、前記引き動かしアンロック装置１０２は前記ローラチャンバ１９の間に設置されているヒンジチャンバ２３を含み、前記ヒンジチャンバ２３の右側には引きロッドチャンバ２７が連通するように設置され、前記引きロッドチャンバ２７の中には引きロッド２４がスライドできるように設置され、前記引きロッド２４の左端にはヒンジロッド２５が上下対称的に、且つヒンジにより連結され、前記ヒンジロッド２５のうち前記引きロッド２４から離れている一端には前記第一引っ掛かり溝２２の中までスライドすることができる引っ掛かりブロック２６がヒンジにより連結され、前記引きロッドチャンバ２７の右側には伸縮チャンバ２８が連通するように設置され、前記伸縮チャンバ２８の中には前記引きロッド２４の右端に固定的に連結されている伸縮板２９がスライドできるように設置され、前記伸縮板２９の右端と前記伸縮チャンバ２８の右壁との間には圧縮ばね３０が固定的に連結され、前記伸縮板２９の右端面の中心には固定軸３１が固定的に設置され、前記ハンドル１２の中には引き動かしチャンバ３２が前後に貫通するように設置され、前記引き動かしチャンバ３２の中には引き動かし板３３がスライドできるように設置され、前記引き動かし板３３の中には回転ブロックチャンバ３４が設置され、前記回転ブロックチャンバ３４の中には前記固定軸３１の右端に固定的に連結されている回転ブロック３５が回転できるように設置され、前記引き動かし板３３を引き動かすと、前記固定軸３１により前記伸縮板２９を引き動かすことができ、前記回転盤２０をアンロックする。
【００１３】
有益的には、前記回転アンロック装置１０３は前記引き動かしチャンバ３２の左側に設置されている糸巻きチャンバ３６を含み、前記糸巻きチャンバ３６の中には巻き軸３７が回転できるように設置され、前記固定軸３１が前記巻き軸３７を貫通しており、且つ前記巻き軸３７とスプラインにより連結され、前記巻き軸３７には二本の引き糸３８が巻きつくように設置され、前記糸巻きチャンバ３６の上下両壁には糸通し孔３９が対称的に、且つ連通するように設置され、前記ハンドル１２の右端面には開口が逆である反転チャンバ４０が上下対称的に設置され、前記取っ手１３の左端が前記反転チャンバ４０の前後壁に回転できるように連結され、前記取っ手１３の左端には第二引っ掛かり溝４１が設置され、前記反転チャンバ４０の左壁には前記糸通し孔３９の右側に連通している引っ掛かりロッドチャンバ４２が連通するように設置され、前記引っ掛かりロッドチャンバ４２の中には引っ掛かりロッド４３がスライドできるように設置され、前記引っ掛かりロッド４３が前記第二引っ掛かり溝４１の中に滑り込んで前記取っ手１３を固定でき、前記引っ掛かりロッド４３の左端と前記引っ掛かりロッドチャンバ４２の左壁との間には押圧ばね４４が固定的に連結され、前記引き糸３８が前記引っ掛かりロッド４３の左端に固定的に連結され、前記引き糸３８が前記引っ掛かりロッド４３を引き動かして左方へ移動させて第二引っ掛かり溝４１から出し、また前記取っ手１３をアンロックする。
【００１４】
初期状態において、主体１１がハンドル１２と同じ水平面に位置しており、引っ掛かりブロック２６が第一引っ掛かり溝２２の中に引っ掛かり、引っ掛かりロッド４３が第二引っ掛かり溝４１の中に引っ掛かっている。
【００１５】
チェーン１６の長さを調節する時、引き動かし板３３を右側へ引き、回転ブロック３５と固定軸３１により伸縮板２９と引きロッド２４とを連動させて右側へ移動させ、ヒンジロッド２５により上下両側の引っ掛かりブロック２６を連動させて向き合って移動させ、これにより上下両側の引っ掛かりブロック２６が第一引っ掛かり溝２２から滑り出て、この時、手でチェーン１６を所要の長さまで引き、引き動かし板３３を放し、引っ掛かりブロック２６が再び対応した第一引っ掛かり溝２２の中に引っ掛かり、犬の牽引縄を柱またはテーブルの脚などのところに係留する時、ハンドル１２を回転させ、この時、引き糸３８が引き締まった状態にあり、また引っ掛かりロッド４３を引き動かして左側へ移動させて第二引っ掛かり溝４１から出し、この時、ハンドル１３を両側へ反転させることができ、そして本発明装置を柱またはテーブルの脚に巻きつけ、またハンドル１３を復帰させる。
【００１６】
本発明の有益効果は：本発明は構成が簡単で、操作が便利で、本装置により牽引縄の長さを調節でき、犬の活動範囲を制御し、同時に、犬を係留する時、快速に本装置を柱などのところにつなぐことができ、且つ犬に振り切られにくい。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
大型犬用のチェーンロックであって、主体を含み、前記主体の右側にはハンドルが回転できるように設置され、前記ハンドルの右端には取っ手が上下対称的に設置され、前記主体の中には巻き装置が設置され、前記主体と前記ハンドルとの間には引き動かしアンロック装置が設置され、前記ハンドルの中には回転アンロック装置が設置され、犬の散歩をする過程において、前記取っ手を手で掴むことができ、前記引き動かしアンロック装置を通して前記巻き装置をアンロックでき、また前記巻き装置によってチェーンの長さを調節でき、犬の牽引縄を柱に係留しようとする時、前記ハンドルを回転させることで、前記回転アンロック装置を始動でき、また前記取っ手をアンロックでき、前記取っ手を両側に向かって翻転させ、そして柱にロックし、前記巻き装置は前記主体の中に設置されている巻きチャンバを含み、前記巻きチャンバの中には巻き輪が上下対称的に、且つ回転できるように設置され、前記チェーンが前記巻き輪に巻きついており、前記巻きチャンバの左壁には外部空間に連通している開口が設置され、前記チェーンの一端が前記開口を通して外部空間まで伸びており、且つ前記チェーンの一端には首輪が固定的に連結され、前記巻き輪の前後両側において前記巻きチャンバの前後壁に位置しているところにはローラチャンバが対称的に設置され、前記巻き輪の両端が前記ローラチャンバの中に伸びており、且つ前記巻き輪の両端には回転盤が固定的に連結され、前記回転盤のうち前記巻きチャンバに近接している側の円形面と前記ローラチャンバの内壁との間には捻りばねが固定的に連結され、前記回転盤の外円周面の中には外側へ開口した第一引っ掛かり溝が環状に配列されるように設置され、
前記引き動かしアンロック装置は前記ローラチャンバの間に設置されているヒンジチャンバを含み、前記ヒンジチャンバの右側には引きロッドチャンバが連通するように設置され、前記引きロッドチャンバの中には引きロッドがスライドできるように設置され、前記引きロッドの左端にはヒンジロッドが上下対称的に、且つヒンジにより連結され、前記ヒンジロッドのうち前記引きロッドから離れている一端には前記第一引っ掛かり溝の中までスライドすることができる引っ掛かりブロックがヒンジにより連結され、前記引きロッドチャンバの右側には伸縮チャンバが連通するように設置され、前記伸縮チャンバの中には前記引きロッドの右端に固定的に連結されている伸縮板がスライドできるように設置され、前記伸縮板の右端と前記伸縮チャンバの右壁との間には圧縮ばねが固定的に連結され、前記伸縮板の右端面の中心には固定軸が固定的に設置され、前記ハンドルの中には引き動かしチャンバが前後に貫通するように設置され、前記引き動かしチャンバの中には引き動かし板がスライドできるように設置され、前記引き動かし板の中には回転ブロックチャンバが設置され、前記回転ブロックチャンバの中には前記固定軸の右端に固定的に連結されている回転ブロックが回転できるように設置され、
前記回転アンロック装置は前記引き動かしチャンバの左側に設置されている糸巻きチャンバを含み、前記糸巻きチャンバの中には巻き軸が回転できるように設置され、前記固定軸が前記巻き軸を貫通しており、且つ前記巻き軸とスプラインにより連結され、前記巻き軸には二本の引き糸が巻きつくように設置され、前記糸巻きチャンバの上下両壁には糸通し孔が対称的に、且つ連通するように設置され、前記ハンドルの右端面には開口が逆である反転チャンバが上下対称的に設置され、前記取っ手の左端が前記反転チャンバの前後壁に回転できるように連結され、前記取っ手の左端には第二引っ掛かり溝が設置され、前記反転チャンバの左壁には前記糸通し孔の右側に連通している引っ掛かりロッドチャンバが連通するように設置され、前記引っ掛かりロッドチャンバの中には引っ掛かりロッドがスライドできるように設置され、前記引っ掛かりロッドが前記第二引っ掛かり溝の中に滑り込んで前記取っ手を固定でき、前記引っ掛かりロッドの左端と前記引っ掛かりロッドチャンバの左壁との間には押圧ばねが固定的に連結され、前記引き糸が前記引っ掛かりロッドの左端に固定的に連結されていることを特徴とする大型犬用のチェーンロック。
【手続補正２】
【補正対象書類名】明細書
【補正対象項目名】全文
【補正方法】変更
【補正の内容】
【発明の詳細な説明】
【技術分野】
【０００１】
本発明は錠前技術分野を取り上げて、具体的には大型犬用のチェーンロックである。
【背景技術】
【０００２】
多くの犬好きな人は犬の散歩をすることが好きであるが、安全のために犬の体に牽引縄を付け、しかし、普通の牽引縄は長さを調整できなく、牽引縄を手に巻きつけることしかできなく、これは非常に危険であり、また時々犬を係留する時、普通の牽引縄であると縄を結ぶ方式だけを採用でき、しかもこの方式は面倒くさいだけでなく、犬に振り切られやすく、あまり強固でなく、そのため、大型犬用のチェーンロックが必要となり、本装置を通して縄を巻いてロックでき、また柱に巻きつけてロックする方式により本装置を柱に固定でき、信頼性が高い。
【先行技術文献】
【特許文献】
【０００３】
【特許文献１】中国特許出願公開第１０２３６７７１９号明細書
【発明の概要】
【発明が解決しようとする課題】
【０００４】
本発明は大型犬用のチェーンロックを提供し、従来技術における上記欠点を解消することを目的とする。
【課題を解決するための手段】
【０００５】
本発明の実施例の大型犬用のチェーンロックは、主体を含み、前記主体の右側にはハンドルが回転できるように設置され、前記ハンドルの右端には取っ手が上下対称的に設置され、前記主体の中には巻き装置が設置され、前記主体と前記ハンドルとの間には引き動かしアンロック装置が設置され、前記ハンドルの中には回転アンロック装置が設置され、犬の散歩をする過程において、前記取っ手を手で掴むことができ、前記引き動かしアンロック装置を通して前記巻き装置をアンロックでき、また前記巻き装置によってチェーンの長さを調節でき、犬の牽引縄を柱に係留しようとする時、前記ハンドルを回転させることで、前記回転アンロック装置を始動でき、また前記取っ手をアンロックでき、前記取っ手を両側に向かって翻転させ、そして柱にロックし、前記巻き装置は前記主体の中に設置されている巻きチャンバを含み、前記巻きチャンバの中には巻き輪が上下対称的に、且つ回転できるように設置され、前記チェーンが前記巻き輪に巻きついており、前記巻きチャンバの左壁には外部空間に連通している開口が設置され、前記チェーンの一端が前記開口を通して外部空間まで伸びており、且つ前記チェーンの一端には首輪が固定的に連結され、前記巻き輪の前後両側において前記巻きチャンバの前後壁に位置しているところにはローラチャンバが対称的に設置され、前記巻き輪の両端が前記ローラチャンバの中に伸びており、且つ前記巻き輪の両端には回転盤が固定的に連結され、前記回転盤のうち前記巻きチャンバに近接している側の円形面と前記ローラチャンバの内壁との間には捻りばねが固定的に連結され、前記回転盤の外円周面の中には外側へ開口した第一引っ掛かり溝が環状に配列されるように設置され、前記引き動かしアンロック装置により前記回転盤を固定し、前記捻りばねにより前記回転盤を回転させて復帰させる。
【０００６】
更の技術プランとしては、前記引き動かしアンロック装置は前記ローラチャンバの間に設置されているヒンジチャンバを含み、前記ヒンジチャンバの右側には引きロッドチャンバが連通するように設置され、前記引きロッドチャンバの中には引きロッドがスライドできるように設置され、前記引きロッドの左端にはヒンジロッドが上下対称的に、且つヒンジにより連結され、前記ヒンジロッドのうち前記引きロッドから離れている一端には前記第一引っ掛かり溝の中までスライドすることができる引っ掛かりブロックがヒンジにより連結され、前記引きロッドチャンバの右側には伸縮チャンバが連通するように設置され、前記伸縮チャンバの中には前記引きロッドの右端に固定的に連結されている伸縮板がスライドできるように設置され、前記伸縮板の右端と前記伸縮チャンバの右壁との間には圧縮ばねが固定的に連結され、前記伸縮板の右端面の中心には固定軸が固定的に設置され、前記ハンドルの中には引き動かしチャンバが前後に貫通するように設置され、前記引き動かしチャンバの中には引き動かし板がスライドできるように設置され、前記引き動かし板の中には回転ブロックチャンバが設置され、前記回転ブロックチャンバの中には前記固定軸の右端に固定的に連結されている回転ブロックが回転できるように設置され、前記引き動かし板を引き動かすと、前記固定軸により前記伸縮板を引き動かすことができ、前記回転盤をアンロックする。
【０００７】
更の技術プランとしては、前記回転アンロック装置は前記引き動かしチャンバの左側に設置されている糸巻きチャンバを含み、前記糸巻きチャンバの中には巻き軸が回転できるように設置され、前記固定軸が前記巻き軸を貫通しており、且つ前記巻き軸とスプラインにより連結され、前記巻き軸には二本の引き糸が巻きつくように設置され、前記糸巻きチャンバの上下両壁には糸通し孔が対称的に、且つ連通するように設置され、前記ハンドルの右端面には開口が逆である反転チャンバが上下対称的に設置され、前記取っ手の左端が前記反転チャンバの前後壁に回転できるように連結され、前記取っ手の左端には第二引っ掛かり溝が設置され、前記反転チャンバの左壁には前記糸通し孔の右側に連通している引っ掛かりロッドチャンバが連通するように設置され、前記引っ掛かりロッドチャンバの中には引っ掛かりロッドがスライドできるように設置され、前記引っ掛かりロッドが前記第二引っ掛かり溝の中に滑り込んで前記取っ手を固定でき、前記引っ掛かりロッドの左端と前記引っ掛かりロッドチャンバの左壁との間には押圧ばねが固定的に連結され、前記引き糸が前記引っ掛かりロッドの左端に固定的に連結され、前記引き糸が前記引っ掛かりロッドを引き動かして左方へ移動させて第二引っ掛かり溝から出し、また前記取っ手をアンロックする。
【発明の効果】
【０００８】
本発明の有益効果は：本発明は構成が簡単で、操作が便利で、本装置により牽引縄の長さを調節でき、犬の活動範囲を制御し、同時に、犬を係留する時、快速に本装置を柱などのところにつなぐことができ、且つ犬に振り切られにくい。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の大型犬用のチェーンロックの内部全体構成模式図
【図２】図２は図１の中の「Ａ―Ａ」方向の構成模式図
【図３】図３は図２の中の「Ｂ―Ｂ」方向の構成模式図
【図４】図４は図１の中の「Ｃ」の拡大模式図
【図５】図５は図１の中の「Ｄ」の拡大模式図
【発明を実施するための形態】
【００１１】
図１〜５を参照し、本発明の実施例の大型犬用のチェーンロックは、主体１１を含み、前記主体１１の右側にはハンドル１２が回転できるように設置され、前記ハンドル１２の右端には取っ手１３が上下対称的に設置され、前記主体１１の中には巻き装置１０１が設置され、前記主体１１と前記ハンドル１２との間には引き動かしアンロック装置１０２が設置され、前記ハンドル１２の中には回転アンロック装置１０３が設置され、犬の散歩をする過程において、前記取っ手１３を手で掴むことができ、前記引き動かしアンロック装置１０２を通して前記巻き装置１０１をアンロックでき、また前記巻き装置１０１によってチェーン１６の長さを調節でき、犬の牽引縄を柱に係留しようとする時、前記ハンドル１２を回転させることで、前記回転アンロック装置１０３を始動でき、また前記取っ手１３をアンロックでき、前記取っ手１３を両側に向かって翻転させ、そして柱にロックし、前記巻き装置１０１は前記主体１１の中に設置されている巻きチャンバ１４を含み、前記巻きチャンバ１４の中には巻き輪１５が上下対称的に、且つ回転できるように設置され、前記チェーン１６が前記巻き輪１５に巻きついており、前記巻きチャンバ１４の左壁には外部空間に連通している開口１７が設置され、前記チェーン１６の一端が前記開口１７を通して外部空間まで伸びており、且つ前記チェーン１６の一端には首輪１８が固定的に連結され、前記巻き輪１５の前後両側において前記巻きチャンバ１４の前後壁に位置しているところにはローラチャンバ１９が対称的に設置され、前記巻き輪１５の両端が前記ローラチャンバ１９の中に伸びており、且つ前記巻き輪１５の両端には回転盤２０が固定的に連結され、前記回転盤２０のうち前記巻きチャンバ１４に近接している側の円形面と前記ローラチャンバ１９の内壁との間には捻りばね２１が固定的に連結され、前記回転盤２０の外円周面の中には外側へ開口した第一引っ掛かり溝２２が環状に配列されるように設置され、前記引き動かしアンロック装置１０２により前記回転盤２０を固定し、前記捻りばね２１により前記回転盤２０を回転させて復帰させる。
【００１２】
有益的には、前記引き動かしアンロック装置１０２は前記ローラチャンバ１９の間に設置されているヒンジチャンバ２３を含み、前記ヒンジチャンバ２３の右側には引きロッドチャンバ２７が連通するように設置され、前記引きロッドチャンバ２７の中には引きロッド２４がスライドできるように設置され、前記引きロッド２４の左端にはヒンジロッド２５が上下対称的に、且つヒンジにより連結され、前記ヒンジロッド２５のうち前記引きロッド２４から離れている一端には前記第一引っ掛かり溝２２の中までスライドすることができる引っ掛かりブロック２６がヒンジにより連結され、前記引きロッドチャンバ２７の右側には伸縮チャンバ２８が連通するように設置され、前記伸縮チャンバ２８の中には前記引きロッド２４の右端に固定的に連結されている伸縮板２９がスライドできるように設置され、前記伸縮板２９の右端と前記伸縮チャンバ２８の右壁との間には圧縮ばね３０が固定的に連結され、前記伸縮板２９の右端面の中心には固定軸３１が固定的に設置され、前記ハンドル１２の中には引き動かしチャンバ３２が前後に貫通するように設置され、前記引き動かしチャンバ３２の中には引き動かし板３３がスライドできるように設置され、前記引き動かし板３３の中には回転ブロックチャンバ３４が設置され、前記回転ブロックチャンバ３４の中には前記固定軸３１の右端に固定的に連結されている回転ブロック３５が回転できるように設置され、前記引き動かし板３３を引き動かすと、前記固定軸３１により前記伸縮板２９を引き動かすことができ、前記回転盤２０をアンロックする。
【００１３】
有益的には、前記回転アンロック装置１０３は前記引き動かしチャンバ３２の左側に設置されている糸巻きチャンバ３６を含み、前記糸巻きチャンバ３６の中には巻き軸３７が回転できるように設置され、前記固定軸３１が前記巻き軸３７を貫通しており、且つ前記巻き軸３７とスプラインにより連結され、前記巻き軸３７には二本の引き糸３８が巻きつくように設置され、前記糸巻きチャンバ３６の上下両壁には糸通し孔３９が対称的に、且つ連通するように設置され、前記ハンドル１２の右端面には開口が逆である反転チャンバ４０が上下対称的に設置され、前記取っ手１３の左端が前記反転チャンバ４０の前後壁に回転できるように連結され、前記取っ手１３の左端には第二引っ掛かり溝４１が設置され、前記反転チャンバ４０の左壁には前記糸通し孔３９の右側に連通している引っ掛かりロッドチャンバ４２が連通するように設置され、前記引っ掛かりロッドチャンバ４２の中には引っ掛かりロッド４３がスライドできるように設置され、前記引っ掛かりロッド４３が前記第二引っ掛かり溝４１の中に滑り込んで前記取っ手１３を固定でき、前記引っ掛かりロッド４３の左端と前記引っ掛かりロッドチャンバ４２の左壁との間には押圧ばね４４が固定的に連結され、前記引き糸３８が前記引っ掛かりロッド４３の左端に固定的に連結され、前記引き糸３８が前記引っ掛かりロッド４３を引き動かして左方へ移動させて第二引っ掛かり溝４１から出し、また前記取っ手１３をアンロックする。
【００１４】
初期状態において、主体１１がハンドル１２と同じ水平面に位置しており、引っ掛かりブロック２６が第一引っ掛かり溝２２の中に引っ掛かり、引っ掛かりロッド４３が第二引っ掛かり溝４１の中に引っ掛かっている。
【００１５】
チェーン１６の長さを調節する時、引き動かし板３３を右側へ引き、回転ブロック３５と固定軸３１により伸縮板２９と引きロッド２４とを連動させて右側へ移動させ、ヒンジロッド２５により上下両側の引っ掛かりブロック２６を連動させて向き合って移動させ、これにより上下両側の引っ掛かりブロック２６が第一引っ掛かり溝２２から滑り出て、この時、手でチェーン１６を所要の長さまで引き、引き動かし板３３を放し、引っ掛かりブロック２６が再び対応した第一引っ掛かり溝２２の中に引っ掛かり、犬の牽引縄を柱またはテーブルの脚などのところに係留する時、ハンドル１２を回転させ、この時、引き糸３８が引き締まった状態にあり、また引っ掛かりロッド４３を引き動かして左側へ移動させて第二引っ掛かり溝４１から出し、この時、ハンドル１３を両側へ反転させることができ、そして本発明装置を柱またはテーブルの脚に巻きつけ、またハンドル１３を復帰させる。
【００１６】
本発明の有益効果は：本発明は構成が簡単で、操作が便利で、本装置により牽引縄の長さを調節でき、犬の活動範囲を制御し、同時に、犬を係留する時、快速に本装置を柱などのところにつなぐことができ、且つ犬に振り切られにくい。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。